(57)【要約】【課題】本発明は、液体中に存在する細菌の殺菌効率の向上を図ることができる殺菌装置を提供することを目的とする。【解決手段】殺菌装置１は、液体が貯留された貯留区域に設置される本体部１１と、本体部１１の内部に液体を流入する流入部２３と、本体部１１の内部に流入した液体に向かって紫外線を照射する光源１５と、光源１５が配置される光源配置部２６と、光源配置部２６を通過した液体を本体部１１の内部から貯留区域に排出する排出部３とを備えている。【選択図】図２
2019013876.tif 000002
【特許請求の範囲】
【請求項１】
液体が貯留された貯留区域に設置される本体部と、
前記本体部の内部に前記液体を流入する流入部と、
前記内部に流入した前記液体に向かって紫外線を照射する光源と、
前記光源が配置される光源配置部と、
前記光源配置部を通過した前記液体を前記内部から前記貯留区域に排出する排出部と
を備える殺菌装置。
【請求項２】
前記光源が照射した前記紫外線を前記光源配置部に流入した前記液体に向かって反射する反射部をさらに備える
請求項１に記載の殺菌装置。
【請求項３】
前記反射部の少なくとも一部は、前記光源に相対的に近い部分が前記光源に相対的に遠い部分よりも幅が広い末広がり形状を有する
請求項２に記載の殺菌装置。
【請求項４】
前記反射部の少なくとも一部は、前記光源に設けられた発光部に対して傾斜して設けられている
請求項２又は３に記載の殺菌装置。
【請求項５】
前記内部に流入した前記液体を前記光源配置部に導入する導入口を備える
請求項２から４までのいずれか一項に記載の殺菌装置。
【請求項６】
前記光源配置部は、前記光源が配置された側を開放した箱形状を有し、
前記反射部は、前記光源配置部の底面及び一側面に亘って設けられ、
前記導入口は、前記光源配置部の前記一側面とは異なる他側面の一部を開口して設けられている
請求項５に記載の殺菌装置。
【請求項７】
前記光源配置部と前記排出部との間に設けられ、前記流入部から前記排出部に向かう水流を発生する水流発生部を備える
請求項２から６までのいずれか一項に記載の殺菌装置。
【請求項８】
前記光源配置部及び前記反射部は、前記水流発生部を挟んで複数設けられている
請求項７に記載の殺菌装置。
【請求項９】
前記光源配置部に少なくとも設けられたフィルタ部を備える
請求項２から８までのいずれか一項に記載の殺菌装置。
【請求項１０】
前記反射部の少なくとも一部は、前記光源に相対的に近い部分が前記光源に相対的に遠い部分よりも前記フィルタ部から離れるように傾斜して配置されている
請求項９に記載の殺菌装置。
【請求項１１】
前記本体部に設けられ前記本体部を前記貯留区域の中で可動させる可動部を備える
請求項１から１０までのいずれか一項に記載の殺菌装置。
【請求項１２】
前記貯留区域に存在するごみを除去する除去部を備える
請求項１から１１までのいずれか一項に記載の殺菌装置。
【請求項１３】
前記流入部は、前記本体部の底部に設けられている
請求項１から１２までのいずれか一項に記載の殺菌装置。
【請求項１４】
前記排出部は、前記本体部の上部に設けられている
請求項１から１３までのいずれか一項に記載の殺菌装置。
【発明の詳細な説明】
【技術分野】
【０００１】
本発明は、紫外線を照射して液体を殺菌する殺菌装置に関する。
【背景技術】
【０００２】
特許文献１には、プール底面の掃除ができ、かつ紫外線エネルギーを水底部に照射して殺菌を死滅できる自走式清掃装置が開示されている。
【先行技術文献】
【特許文献】
【０００３】
【特許文献１】特開２００４−３１０３８５号公報
【発明の概要】
【発明が解決しようとする課題】
【０００４】
特許文献１に開示されている自走式清掃装置のように、液体中に存在する細菌を殺菌する技術分野では、殺菌効率の向上が常に求められている。
【０００５】
本発明の目的は、液体中に存在する細菌の殺菌効率の向上を図ることができる殺菌装置を提供することにある。
【課題を解決するための手段】
【０００６】
上記目的を達成するために、本発明の一態様による殺菌装置は、液体が貯留された貯留区域に設置される本体部と、前記本体部の内部に前記液体を流入する流入部と、前記内部に流入した前記液体に向かって紫外線を照射する光源と、前記光源が配置される光源配置部と、前記光源配置部を通過した前記液体を前記内部から前記貯留区域に排出する排出部とを備えることを特徴とする。
【発明の効果】
【０００７】
本発明の一態様によれば、液体中に存在する細菌の殺菌効率の向上を図ることができる。
【図面の簡単な説明】
【０００８】
【図１】本発明の一実施形態による殺菌装置１の概略構成を示す外観図であり、図１（ａ）は殺菌装置１を正面上方から見た図であり、図１（ｂ）は殺菌装置１の底面図である。
【図２】本発明の一実施形態による殺菌装置１の内部構造を示す外観図である。
【図３】本発明の一実施形態による殺菌装置１に設けられた光源ユニット１９を説明する図であって、図３（ａ）は光源ユニット１９の概略構成を示す図であり、図３（ｂ）は光源ユニット１９に設けられた光源１５の概略構成を示す図である。
【図４】本発明の一実施形態による殺菌装置１に設けられた基幹部２の概略構成を示す外観図である。
【図５】本発明の一実施形態による殺菌装置１に設けられた光源配置部２６の概略構成を示す図であって、図５（ａ）は殺菌装置１の正面側に設けられた光源配置部２６ｂの概略構成を示す図であり、図５（ｂ）は殺菌装置１の背面側に設けられた光源配置部２６ｃの概略構成を示す図である。
【図６】本発明の一実施形態による殺菌装置１に備えられた防水ボックス４及び排出部３の概略構成を示す外観図である。
【図７】本発明の一実施形態による殺菌装置１の殺菌性能を説明するグラフである。
【発明を実施するための形態】
【０００９】
本発明の一実施形態による殺菌装置について図１から図７を用いて説明する。本実施形態による殺菌装置１は、液体が貯留された例えばプールなどの貯留区域に設置される。殺菌装置１は、貯留区域から殺菌装置１の本体部１１に液体を取り込み、取り込んだ液体を再び貯留区域に排出する。殺菌装置１は、貯留区域から液体を取り込む際に貯留区域の床面や壁面に付着しているごみを液体とともに取り込む。殺菌装置１は、本体部１１で液体とごみと分離する。さらに、殺菌装置１は本体部１１で液体を殺菌する。殺菌装置１は、清浄化した液体を貯留区域に排出する。殺菌装置１は、貯留区域内を自走し、貯留区域の床面や壁面を清掃しながら貯留区域に貯留された液体を清浄化する。
【００１０】
（殺菌装置の全体構成）
まず、本実施形態による殺菌装置１の全体構成について図１及び図２を用いて説明する。図１に示すように、殺菌装置１は、液体が貯留された貯留区域に設置される本体部１１を備えている。また、殺菌装置１は、本体部１１に設けられ本体部１１を貯留区域の中で可動させる可動部１３を備えている。可動部１３は、複数（本実施形態では４つ）の車輪１３１と、キャタピラ１３２と、車輪１３１を回転させるモータ（不図示）とで構成されている。モータは、防水された状態で本体部１１の内部に設けられている。モータには、複数の電源ケーブル１７のうちの１つのケーブルによって電力が供給される。殺菌装置１は、左右の一方のみにキャタピラ１３２を有しているが、左右の両方にキャタピラ１３２を有していてもよい。殺菌装置１は、キャタピラ１３２を有することにより、貯留区域を安定して自走できるようになっている。
【００１１】
殺菌装置１に設けられた複数のケーブル１７には、可動部１３を構成するモータだけでなく、本体部１１の内部に水流を発生するための水流発生部７（図１及び図２では不図示）、本体部１１の内部に取り込んだ液体を殺菌する光源１５（図２参照）、及び貯留領域での殺菌装置１の移動を制御する制御部（不図示）のそれぞれに電力を供給するための電源ケーブルが含まれる。制御部は、水流発生部７を収容する防水ボックス４（図１及び図２では不図示。詳細は後述する）に収容されている。防水ボックス４、水流発生部７及び光源１５の詳細は後述する。
【００１２】
図１に示すように、殺菌装置１は、貯留区域に存在するごみを除去する除去部１２を備えている。除去部１２は、本体部１１の正面側に設けられている。殺菌装置１を貯留区域に設置すると、除去部１２は貯留区域における殺菌装置１の設置面（例えば床面や壁面）に接触するようになっている。除去部１２は、殺菌装置１が進行すると回転して貯留区域の床面や壁面に付着しているごみを擦り取るようになっている。
【００１３】
殺菌装置１は、背面側に把持部１４を備えている。把持部１４は、殺菌装置１を貯留区域に設置したり取り出したり移動させたりする際に、殺菌装置１の使用者などに把持される部分である。
【００１４】
本体部１１は、筐体１１ａと、筐体１１ａに回転可能に取り付けられた蓋部１１ｂとを有している。図２に示すように、蓋部１１ｂは、把持部１４（図２では不図示）の近傍で本体部１１に設けられた回転機構１１２によって本体部１１の背面側を回転軸として回転するようになっている。本体部１１の正面側であって筐体１１ａに対面する蓋部１１ｂの裏面には、筐体１１ａに向かって突出する爪部１１３が形成されている。また、本体部１１の正面側であって蓋部１１ｂに対面する筐体１１ａの上面には、開口部１１４が形成されている。開口部１１４は、蓋部１１ｂを閉状態にした場合に爪部１１３に対向する位置に設けられている。さらに、開口部１１４は、爪部１１３を挿入可能な大きさに形成されている。開口部１１４の周囲の一部には、開口部１１４に向かって突出する突出部１１４ａが形成されている。蓋部１１ｂを閉状態にすると、爪部１１３が開口部１１４に挿入されるとともに突出部１１４ａに引っ掛かるようになっている。これにより、殺菌装置１の使用者などが筐体１１ａから蓋部１１ｂを引き離す力を加えない限り、蓋部１１ｂが筐体１１ａに対して立ち下げられた閉状態が維持される。殺菌装置１は、蓋部１１ｂが閉状態にあると、筐体１１ａ及び蓋部１１ｂとの間から貯留区域の液体が本体部１１の内部に流入しないようになっている。
【００１５】
図２に示すように、蓋部１１ｂが筐体１１ａに対して立ち上げられた開状態になると、本体部１１が開放状態となり、内部が露出される。本体部１１の内部、すなわち筐体１１ａの内部には、基幹部２が収容されている。基幹部２には、水流発生部７を収容する防水ボックス４が配置されるボックス配置部２１、ボックス配置部２１を挟んで設けられた光源配置部２６、及び光源配置部２６に設けられた反射部２２などが設けられている。また、殺菌装置１は、光源配置部２６に少なくとも設けられたフィルタ部６を備えている。フィルタ部６及び基幹部２の概略構成の詳細は後述する。
【００１６】
筐体１１ａには、光源１５を有する光源ユニット１９及び光源ユニット１９を基幹部２に固定する固定部材５が設けられている。固定部材５は、薄板形状を有している。固定部材５は、基幹部２のほぼ中央で殺菌装置１の進行方向と平行な方向に延在して配置される。固定部材５は、排出部３が挿入される挿入口５１を有している。排出部３は、殺菌装置１に備えられた構成要素のうちの１つである。排出部３は、光源配置部２６を通過した液体を本体部１１の内部から貯留区域に排出するようになっている。挿入口５１は、固定部材５のほぼ中央を貫通して形成されている。固定部材５は、光源ユニット１９が取り付けられる取付部５２を有している。取付部５２は、固定部材５の両端にそれぞれ設けられている。取付部５２ａは殺菌装置１の正面側に配置され、取付部５２ｂは殺菌装置１の背面側に配置される。取付部５２ａには、光源ユニット１９ａ，１９ｂが取り付けられる。取付部５２ｂには、光源ユニット１９ｃが取り付けられる。
【００１７】
固定部材５、光源ユニット１９、基幹部２及びフィルタ部６は、筐体１１ａに着脱可能に取り付けられている。固定部材５、光源ユニット１９、基幹部２及びフィルタ部６は、蓋部１１ｂを開状態とすることにより、本体部１１の内部から取り外すことができるようになっている。
【００１８】
図１に戻って、図１（ｂ）に示すように、殺菌装置１は、本体部１１の内部に液体を流入する流入部２３を備えている。流入部２３は、本体部１１の底部に設けられている。流入部２３は、基幹部２（図２参照）に設けられている。本実施形態では、流入部２３は、正面側に１個（流入部２３ａ）、背面側に２個（流入部２３ｂ，２３ｃ）の合計３個設けられている。以下、流入部２３ａ、流入部２３ｂ及び流入部２３ｃを「流入部２３」と総称する。流入部２３は長方形状を有している。流入部２３は、長手方向が殺菌装置１の進行方向とほぼ直交するように配置されている。流入部２３ａは、流入部２３ｂ，２３ｃに対して、長辺が長くかつ短辺がほぼ同じ長さを有している。流入部２３ａは、殺菌装置１の進行方向に沿う両端の間のほぼ中央に配置されている。流入部２３ｂは当該両端の一方寄りに配置され、流入部２３ｃは当該両端の他方寄りに配置されている。
【００１９】
本体部１１の筐体１１ａの底部には、流入部２３を外部に露出する開口部１１５が形成されている。開口部１１５ａは流入部２３ａを外部に露出し、開口部１１５ｂは流入部２３ｂを外部に露出し、開口部１１５ｃは流入部２３ｃを外部に露出する。以下、開口部１１５ａ，１１５ｂ，１１５ｃを「開口部１１５」と総称する。開口部１１５は、流入部２３が嵌り込む形状及び大きさに形成されている。流入部２３は、開口部１１５を画定する内壁との間にほとんど隙間を生じさせない状態で嵌め込まれるようになっている。これにより、貯留区域に貯留された液体が流入部２３と当該内壁との間から本体部１１の内部に流入することが防止される。
【００２０】
図１（ａ）に示すように、蓋部１１ｂのほぼ中央には、排出部３（図２参照）を外部に露出する開口部１１６が設けられている。開口部１１６が排出部３を露出することにより、排出部３は、本体部１１の上部に設けられる。殺菌装置１は、水流発生部７によって流入部２３から排出部３に向かう水流を本体部１１の内部に形成する。除去部１２で除去されたごみは、殺菌装置１が形成する水流によって貯留区域に貯留されている液体とともに流入部２３から本体部１１の内部に流入される。殺菌装置１は、本体部１１の内部に取り込んだ液体からごみを取り除くとともに殺菌する。殺菌装置１は、殺菌及びごみを除去した液体を排出部３から貯留区域に排出する。殺菌装置１は、排出部３から排出する液体の水圧で、貯留区域の壁面に張り付くようになっている。
【００２１】
（光源及び光源ユニットの概略構成）
次に、本実施形態による殺菌装置１に備えられた光源及び光源ユニットの概略構成について図２を参照しつつ図３を用いて説明する。
図２に示すように、殺菌装置１は、本体部１１の内部に流入した液体に向かって紫外線を照射する光源１５と、光源１５が配置される光源配置部２６とを備えている。殺菌装置１は、複数の光源１５をグループ化して構成された複数の光源ユニット１９を備えている。殺菌装置１は、３つの光源ユニット１９ａ，１９ｂ，１９ｃを備えている。殺菌装置１を正面から見た場合に、光源ユニット１９ａは本体部１１の正面左側に設けられ、光源ユニット１９ｂは本体部１１の正面右側に設けられ、光源ユニット１９ｃは本体部１１の背面側に設けられている。以下、光源ユニット１９ａ、光源ユニット１９ｂ及び光源ユニット１９ｃを「光源ユニット１９」と総称する。
【００２２】
光源ユニット１９ａは、複数（本実施形態では２つ）の光源１５ａを有している。光源ユニット１９ｂは、複数（本実施形態では２つ）の光源１５ｂを有している。光源ユニット１９ｃは、複数（本実施形態では４つ）の光源１５ｃ（図２では不図示、図３参照）を有している。光源ユニット１９ａ，１９ｂと、光源ユニット１９ｃとは、光源１５の個数が異なることを除いて、同様の構成を有しているため、以下、光源ユニット１９ｃを例にとって光源ユニット１９の概略構成について説明する。また、光源ユニット１９ａ，１９ｂ，１９ｃに設けられた複数の光源１５は、互いに同一の構成を有している。このため、以下、光源ユニット１９ｃに設けられた複数（本実施形態では４個）の光源１５ｃのうちの１つを例にとって、光源１５の概略構成について説明する。
【００２３】
図３（ａ）に示すように、光源ユニット１９ｃは、４個の光源１５ｃと、４個の光源１５ｃを支持する支持部材１９１とを有している。支持部材１９１は、薄板部材をＬ字状に折り曲げて形成されている。支持部材１９１の直交する２つの平坦部のうちの一方の平坦部が、固定部材５の端部に例えば複数のねじ及びナットによって固定される。これにより、光源ユニット１９ｃは固定部材５に取り付けられる。
【００２４】
光源１５ｃは、支持部材１９１の当該一方の平坦部に取り付けられている。光源１５ｃは、光源１５ｃに設けられた発光素子１５１（図３（ｂ）参照）の発光面を当該一方の平坦部とは反対側に向けて配置されている。当該一方の平坦部は、光源配置部２６ｃに向けて配置されている。このため、光源１５ｃは、発光素子１５１の発光面を光源配置部２６ｃに向けた状態で支持部材１９１に配置される。電源ケーブル１７のうちの、光源１５に電力を供給する電源ケーブル１７ｃは、当該一方の平坦部に設けられた防水コネクタ１９２を介して光源１５ｃに接続される。
【００２５】
図３（ｂ）に示すように、光源１５は、円筒形状を有する放熱部１５６と、放熱部１５６の内部に配置された金属基板１５２と、金属基板１５２に実装された発光素子１５１とを有している。発光素子１５１は、例えば発光ダイオード（ＬＥＤ：Ｌｉｇｈｔ  Ｅｍｉｔｔｉｎｇ  Ｄｉｏｄｅ）で構成されている。金属基板１５２は、発光素子１５１の一端子（例えばアノード）に電気的に接続される電極層１５３ａと、発光素子１５１の他端子（例えばカソード）に電気的に接続される電極層１５３ｂとを有している。電源ケーブル１７ｃを構成する正極側ケーブル１５５ａは、電極層１５３ａに半田１５４ａによって半田付けされている。電源ケーブル１７ｃを構成する負極側ケーブル１５５ｂは、電極層１５３ｂに半田１５４ｂによって半田付けされている。正極側ケーブル１５５ａ及び負極側ケーブル１５５ｂは、金属基板１５２に形成された切欠き部を通って放熱部１５６の内部に引き出される。正極側ケーブル１５５ａ及び負極側ケーブル１５５ｂは、防水コネクタ（図３（ｂ）では不図示）において一纏めにされて電源ケーブル１７ｃとして本体部１１の内部から外部へと引き出される。
【００２６】
金属基板１５２は、発光素子１５１が実装される領域からねじＳ１が固定される領域まで形成されたサーマルパッド（不図示）を有している。光源１５ｃは、発光素子１５１で発生した熱をサーマルパッド及びねじＳ１を介して放熱部１５６に伝導して放熱するようになっている。
【００２７】
光源１５ｃは、発光素子１５１の前面に配置された石英ガラス１５７を有している。石英ガラス１５７の周縁と対向する放熱部１５６の領域には、ゴムパッキン（不図示）が設けられている。石英ガラス１５７は、このゴムパッキンに押し付けられた状態で放熱部１５６に取り付けられている。これにより、光源１５ｃは、本体部１１の内部に流入した液体が発光素子１５１及び金属基板１５２上に浸入することを防止できる。
【００２８】
（基幹部の概略構成）
次に、本実施形態による殺菌装置１に備えられた基幹部２の概略構成について図１から図３を参照しつつ図４を用いて説明する。
図４に示すように、基幹部２は、殺菌装置１の正面側に配置される第一側壁２７ａと、殺菌装置１の背面側に配置される第二側壁２７ｂと、殺菌装置１を正面側から見たときに左側に配置される第三側壁２７ｃと、殺菌装置１を正面側から見たときに右側に配置される第四側壁２７ｄとを有している。第一側壁２７ａ及び第二側壁２７ｂは、基幹部２の開放端側よりも底部側の方で互いの距離が短くなるように傾斜して設けられている。第三側壁２７ｃ及び第四側壁２７ｄは、基幹部２の開放端側よりも底部側の方で互いの距離が短くなるように傾斜して設けられている。
【００２９】
基幹部２は、第三側壁２７ｃ及び第四側壁２７ｄに跨って基幹部２のほぼ中央に設けられたボックス配置部２１を有している。ボックス配置部２１は、基幹部２の底部側が開放され基幹部２の開放端側に突き出た四角柱の箱形状を有している。ボックス配置部２１のほぼ中央には開口部２１１が形成されている。ボックス配置部２１の内部には、排出部３が取り付けられた防水ボックス４（図４では不図示）が排出部３（図２参照）を開口部２１１に挿入した状態で配置される。
【００３０】
ボックス配置部２１の長手方向の側面のほぼ全体は、例えば格子状に形成されている。この格子状の領域を覆ってボックス配置部２１の側面には、フィルタ部６（図２及び図３参照）が配置される。第一側壁２７ａに対向するボックス配置部２１の側面には、フィルタ部６ａが配置される（図１参照）。第二側壁２７ｂに対向するボックス配置部２１の側面には、フィルタ部６ｂが配置される（図３（ａ）参照）。
【００３１】
基幹部２は、光源１５ａ（図２参照）が配置される光源配置部２６ａを第一側壁２７ａ及び第三側壁２７ｃとが交わる角部に有している。基幹部２は、光源１５ｂ（図２参照）が配置される光源配置部２６ｂを第一側壁２７ａ及び第四側壁２７ｄとが交わる角部に有している。基幹部２は、光源１５ｃ（図３（ａ）参照）が配置される光源配置部２６ｃを、第二側壁２７ｂの中央から第三側壁２７ｃ及び第四側壁に向かう一定領域に有している。光源配置部２６ａ，２６ｂ，２６ｃの詳細は後述する。
【００３２】
殺菌装置１は、光源１５が照射した紫外線を光源配置部２６に流入した液体に向かって反射する反射部２２を備えている。基幹部２は、光源配置部２６ａに配置された反射部２２ａと、光源配置部２６ｂに配置された反射部２２ｂと、光源配置部２６ｃに配置された反射部２２ｃとを有している。以下、反射部２２ａ、反射部２２ｂ及び反射部２２ｃを「反射部２２」と総称する。反射部２２の詳細は後述する。
【００３３】
基幹部２は、光源配置部２６ａ及び光源配置部２６ｂの間に設けられた流通路２４ａ，２４ｂを有している。流通路２４ａは、基幹部２の中央から光源配置部２６ａに向かうに従って高さが高くなる中空の三角柱形状を有している。流通路２４ｂは、基幹部２の中央から光源配置部２６ｂに向かうに従って高さが高くなる中空の三角柱形状を有している。流通路２４ａ及び流通路２４ｂの基幹部２の底部側のそれぞれの面は一体の開口となっており、当該開口によって流入部２３ａ（図１（ｂ）参照）が構成されている。流通路２４ａは、光源配置部２６ａに向けられた面に導入口２４１ａ（詳細は後述）を有している。これにより、流入部２３ａ、流通路２４ａの中空部及び導入口２４１ａによって貯留区域と光源配置部２６ａとが連通される。その結果、貯留区域に貯留された液体は、流通路２４ａを通って光源配置部２６ａに流入することができる。同様に、流通路２４ｂは、光源配置部２６ｂに向けられた面に導入口２４１ｂ（図４では不図示、詳細は後述する）を有している。これにより、流入部２３ａ、流通路２４ｂの中空部及び導入口２４１ｂによって貯留区域と光源配置部２６ｂとが連通される。その結果、貯留区域に貯留された液体は、流通路２４ｂを通って光源配置部２６ｂに流入することができる。
【００３４】
基幹部２は、光源配置部２６ｃ及び第三側壁２７ｃの間に設けられた流通路２４ｃを有している。流通路２４ｃは、第三側壁２７ｃから基幹部２の中央に向かうに従って高さが高くなる中空の三角柱形状を有している。流通路２４ｃは、基幹部２の底部側に流入部２３ｂ（図１（ｂ）参照）を有している。流通路２４ｂは、光源配置部２６ｃに向けられた面に導入口２４１ｃ（図４では不図示、詳細は後述）を有している。これにより、流入部２３ｂ、流通路２４ｃの中空部及び導入口２４１ｃによって貯留区域と光源配置部２６ｃとが連通される。その結果、貯留区域に貯留された液体は、流通路２４ｃを通って光源配置部２６ｃに流入することができる。
【００３５】
基幹部２は、光源配置部２６ｃ及び第四側壁２７ｄの間に設けられた流通路２４ｄを有している。流通路２４ｄは、第四側壁２７ｄから基幹部２の中央に向かうに従って高さが高くなる中空の三角柱形状を有している。流通路２４ｄは、基幹部２の底部側に流入部２３ｃ（図１（ｂ）参照）を有している。流通路２４ｄは、光源配置部２６ｃに向けられた面に導入口２４１ｄを有している。これにより、流入部２３ｃ、流通路２４ｄの中空部及び導入口２４１ｄによって貯留区域と光源配置部２６ｃとが連通される。その結果、貯留区域に貯留された液体は、流通路２４ｃに加えて、流通路２４ｄを通って光源配置部２６ｃに流入することができる。
【００３６】
光源配置部２６ａと流通路２４ｃとは、ボックス配置部２１を挟んで対向して配置されている。光源配置部２６ｂと流通路２４ｄとは、ボックス配置部２１を挟んで対向して配置されている。光源配置部２６ｃと流通路２４ａ，２４ｂとは、ボックス配置部２１を挟んで対向して配置されている。以下、流通路２４ａ、流通路２４ｂ、流通路２４ｃ及び流通路２４ｄを「流通路２４」と総称する。また、以下、導入口２４１ａ、導入口２４１ｂ、導入口２４１ｃ及び導入口２４１ｄを「導入口２４１」と総称する。
【００３７】
（光源配置部及び反射部の概略構成）
次に、本実施形態による殺菌装置１に備えられた光源配置部２６及び反射部２２の概略構成について図２から図４を参照しつつ図５を用いて説明する。光源配置部２６ａ及び光源配置部２６ｂは、流通路２４ａ及び流通路２４ｂの間を通り第一側壁２７ａ及び第二側壁２７ｂに直交する仮想直線に対して線対称の形状を有している点を除いて、同じ構造を有している。このため、以下、光源配置部２６ｂを例にとって光源配置部２６ａ及び光源配置部２６ｂの概略構成について説明する。また、反射部２２ａ及び反射部２２ｂは、当該仮想直線に対して線対称の形状を有している点を除いて、同じ構造を有している。このため、以下、反射部２２ｂを例にとって反射部２２ａ及び反射部２２ｂの概略構成について説明する。
【００３８】
図５（ａ）に示すように、光源配置部２６ｂは、光源１５ｂ（図２参照）が配置された側を開放した箱形状を有している。反射部２２ｂは、光源配置部２６ｂの底面及び一側面に亘って設けられている。導入口２４１ｂは、光源配置部２６ｂの当該一側面とは異なる他側面の一部を開口して設けられている。より具体的に、光源配置部２６ｂは、第一側壁２７ａ、第四側壁２７ｄ、フィルタ部６ａ及び障壁２５ｂとで画定された箱形状を有している。反射部２２ｂは、基幹部２の底部の底面及び第一側壁２７ａの壁面（光源配置部２６ｂの底面及び一側面の一例）に亘って設けられている。導入口２４１ｂは、第一側壁２７ａとは異なる障壁２５ｂの壁面（光源配置部２６ｂの他側面の一例）を開口して設けられている。
【００３９】
図４に示すように、光源配置部２６ａにおいて、障壁２５ａが光源配置部２６ｂの障壁２５ｂに対応する。つまり、光源配置部２６ａは、第一側壁２７ａ、第三側壁２７ｃ、フィルタ部６ａ及び障壁２５ａとで画定された箱形状を有している。導入口２４１ａは、第一側壁２７ａとは異なる障壁２５ａの壁面（光源配置部２６ａの他側面の一例）を開口して設けられている。
【００４０】
図５（ａ）に戻って、殺菌装置１は、光源配置部２６ｂに少なくとも設けられたフィルタ部６ａを備えている。本実施形態では、フィルタ部６ａは、光源配置部２６ｂの他に、光源配置部２６ａ及び流通路２４ａ，２４ｂが配置された領域にも設けられている。つまり、フィルタ部６ａは、第一側壁２７ａに対向するボックス配置部２１の側壁のほぼ全面に設けられている（図２参照）。フィルタ部６ａは、例えば不織布を蛇腹状に折り曲げて形成されている。
【００４１】
図５（ａ）に示すように、反射部２２ｂは、第一側壁２７ａの内面及び基幹部２の底部の内面に沿う形状を有している。反射部２２ｂは、第一側壁２７ａ及び基幹部２の底部にねじ及びナットによって取り付けられている。これにより、反射部２２ｂは、光源配置部２６ｂに固定される。
【００４２】
反射部２２ｂの少なくとも一部は、光源１５ｂ（図５（ａ）では不図示）に相対的に近い部分が光源１５ｂに相対的に遠い部分よりもフィルタ部６ａから離れるように傾斜して配置されている。光源１５ｂは、光源配置部２６ｂの上方、すなわち第一側壁２７ａの開放端側に配置されている。このため、反射部２２ｂは、第一側壁２７ａの開放端側の部分が第一側壁２７ａの開放端側に相対的に遠い部分（すなわち、基幹部２の底部に近い部分）よりもフィルタ部６ａから離れるように傾斜して配置されている。本実施形態では、反射部２２ｂの第一側壁２７ａに沿う部分（反射部２２ｂの一部の一例）がフィルタ部６ａに対して傾斜して配置されている。
【００４３】
反射部２２ｂの少なくとも一部は、光源１５に相対的に近い部分が光源１５に相対的に遠い部分よりも幅が広い末広がり形状を有している。すなわち、反射部２２ｂの少なくとも一部は、第一側壁２７ａの開放端側が第一側壁２７ａの開放端側に相対的に遠い部分（すなわち、基幹部２の底部に近い部分）よりも幅が広い末広がり形状を有している。本実施形態では、反射部２２ｂの第一側壁２７ａに沿う部分（反射部２２ｂの少なくとも一部の一例）が末広がり形状を有している。
【００４４】
反射部２２ｂの少なくとも一部は、光源１５ｂに設けられた発光素子（発光部の一例）に対して傾斜して設けられている。光源ユニット１９ｂが固定部材５によって基幹部２に固定されると、光源ユニット１９ｂに設けられた支持部材１９１の一方の平坦部（図２参照）は、基幹部２の底部とほぼ平行に配置される。光源１５は、光源ユニット１９ｂに設けられた支持部材１９１の一方の平坦部の法線方向に延在する状態で配置される。発光素子１５１は光源１５の端部に配置されている（図３（ｂ）参照）。このため、光源１５ｂが光源配置部２６ｂに配置されると、光源１５ｂの発光素子は、反射部２２ｂの基幹部２の底部の内面に沿う部分に対して平行に配置される。第一側壁２７ａは、基幹部２の底部に対して傾斜して設けられている。このため、反射部２２ｂの第一側壁２７ａに沿う部分（反射部２２ｂの少なくとも一部の一例）は、光源１５の発光素子に対して傾斜して設けられる。
【００４５】
殺菌装置１は、本体部１１の内部に流入した液体を光源配置部２６ｂに導入する導入口２４１ｂを備えている。導入口２４１ｂは、光源配置部２６ｂが箱形状を有する領域に設けられている。導入口２４１ｂは、光源配置部２６ｂの箱形状を有する領域を障壁２５ｂに平行に切断した断面よりも小さい面積を有している。このため、流通部２４ｂを通過して導入口２４１ｂから光源配置部２６ｂに流入する流水は、導入口２４１ｂよりも断面積の大きい光源配置部２６ｂにおいて低速度になる。これにより、殺菌装置１は、光源配置部２６ｂにおいて所定の形状の水流を生じさせて導入口２４１ｂから流入する液体を一時的に貯留したり滞留したりすることができる。その結果、殺菌装置１は、光源配置部２６ｂにおいて光源１５ｂが発光する紫外線が液体に照射される量が増加するので、液体の殺菌効率を向上することができる。
【００４６】
また、導入口２４１ｂは、光源配置部２６ｂにおいて基幹部２の底部の近傍に配置されている。このため、導入口２４１ｂは、光源配置部２６ｂが形成された領域のうちの光源１５ｂから相対的に遠い位置に設けられている。このため、光源配置部２６ｂにおける光源１５ｂが発光する紫外線の光路長は、基幹部２の開放端側に導入口２４１ｂが設けられている場合と比較して長くなる。その結果、殺菌装置１は、光源配置部２６ｂにおいて光源１５ｂが発光する紫外線が液体に照射される量が増加するので、液体の殺菌効率を向上することができる。詳細な説明は省略するが、光源配置部２６ａ及び反射部２２ａは、対称形状である点を除いて、光源配置部２６ｂ及び反射部２２ｂと同様の構成を有している。このため、殺菌装置１は、光源配置部２６ａにおいても光源配置部２６ｂと同様の効果が得られる。
【００４７】
図５（ｂ）に示すように、光源配置部２６ｃは、光源１５ｃ（図３（ａ）参照）が配置された側を開放した箱形状を有している。反射部２２ｃは、光源配置部２６ｃの底面及び一側面に亘って設けられている。導入口２４１ｃは、光源配置部２６ｃの当該一側面とは異なる他側面の一部を開口して設けられている。より具体的に、光源配置部２６ｃは、第二側壁２７ｂ、障壁２５ｃ、フィルタ部６ｂ及び障壁２５ｄとで画定された箱形状を有している。反射部２２ｃは、基幹部２の底部の底面及び第二側壁２７ｂの壁面（光源配置部２６ｃの底面及び一側面の一例）に亘って設けられている。導入口２４１ｃは、第二側壁２７ｂとは異なる障壁２５ｃの壁面（光源配置部２６ｃの他側面の一例）を開口して設けられている。
【００４８】
導入口２４１ｄは、光源配置部２６ｃの当該一側面とは異なる他側面の一部を開口して設けられている。より具体的に、導入口２４１ｄは、第二側壁２７ｂとは異なる障壁２５ｄの壁面（光源配置部２６ｃの他側面の一例）を開口して設けられている。
【００４９】
殺菌装置１は、光源配置部２６ｃに少なくとも設けられたフィルタ部６ｂを備えている。本実施形態では、フィルタ部６ｂは、光源配置部２６ｃの他に、流通路２４ｃ，２４ｄが配置された領域にも設けられている。つまり、フィルタ部６ｂは、第二側壁２７ｂに対向するボックス配置部２１の側壁のほぼ全面に設けられている。フィルタ部６ｂは、不織布を蛇腹状に折り曲げて形成されている。
【００５０】
図５（ｂ）に示すように、反射部２２ｃは、第二側壁２７ｂの内面及び基幹部２の底部の内面に沿う形状を有している。反射部２２ｃは、第二側壁２７ｂ及び基幹部２の底部にねじ及びナットによって取り付けられている。これにより、反射部２２ｃは、光源配置部２６ｃに固定される。
【００５１】
反射部２２ｃの少なくとも一部は、光源１５ｃ（図５（ｂ）では不図示）に相対的に近い部分が光源１５ｃに相対的に遠い部分よりもフィルタ部６ｂから離れるように傾斜して配置されている。光源１５ｃは、光源配置部２６ｃの上方、すなわち第二側壁２７ｂの開放端側に配置されている。このため、反射部２２ｃは、第二側壁２７ｂの開放端側が第二側壁２７ｂの開放端側に相対的に遠い部分（すなわち、基幹部２の底部に近い部分）よりもフィルタ部６ｂから離れるように傾斜して配置されている。本実施形態では、反射部２２ｃの第二側壁２７ｂに沿う部分（反射部２２ｃの少なくとも一部の一例）がフィルタ部６ｂに対して傾斜して配置されている。
【００５２】
反射部２２ｃの少なくとも一部は、光源１５ｃに相対的に近い部分が光源１５ｃに相対的に遠い部分よりも幅が広い末広がり形状を有している。すなわち、反射部２２ｃの少なくとも一部は、第二側壁２７ｂの開放端側が第二側壁２７ｂの開放端側に相対的に遠い部分（すなわち、基幹部２の底部に近い部分）よりも幅が広い末広がり形状を有している。本実施形態では、反射部２２ｃの第二側壁２７ｂに沿う部分（反射部２２ｃの少なくとも一部の一例）が末広がり形状を有している。
【００５３】
反射部２２ｃの少なくとも一部は、光源１５ｃに設けられた発光素子１５１（発光部の一例）に対して傾斜して設けられている。光源ユニット１９ｃが固定部材５によって基幹部２に固定されると、光源ユニット１９ｃに設けられた支持部材１９１の一方の平坦部（図３（ａ）参照）は、基幹部２の底部とほぼ平行に配置される。光源１５ｃは、支持部材１９１の一方の平坦部の法線方向に延在する状態で配置される。図３（ｂ）に示すよう、発光素子１５１は、光源１５ｃの端部に配置されている。このため、光源１５ｃが光源配置部２６ｃに配置されると、発光素子１５１は、反射部２２ｃの基幹部２の底部の内面に沿う部分に対して平行に配置される。第二側壁２７ｂは、基幹部２の底部に対して傾斜して設けられている。このため、反射部２２ｃの第二側壁２７ｂに沿う部分（反射部２２ｃの少なくとも一部の一例）は、発光素子１５１に対して傾斜して設けられる。
【００５４】
殺菌装置１は、本体部１１の内部に流入した液体を光源配置部２６ｃに導入する導入口２４１ｃ，２４１ｄを備えている。導入口２４１ｃ，２４１ｄは、光源配置部２６ｃが箱形状を有する領域に設けられている。導入口２４１ｃ，２４１ｄは、光源配置部２６ｃの箱形状を有する領域を障壁２５ｃ及び障壁２５ｄの少なくとも一方に平行に切断した断面よりも小さい面積を有している。このため、流通部２４ｃ，２４ｄを通過して導入口２４１ｃ，２４１ｄから光源配置部２６ｃに流入する流水は、導入口２４１ｃ，２４１ｄよりも断面積の大きい光源配置部２６ｃにおいて低速度になる。これにより、殺菌装置１は、光源配置部２６ｃにおいて所定の形状の水流を生じさせて導入口２４１ｃ，２４１ｄから流入する液体を一時的に貯留したり滞留したりすることができる。その結果、殺菌装置１は、光源配置部２６ｃにおいて光源１５ｃが発光する紫外線が液体に照射される量が増加するので、液体の殺菌効率を向上することができる。
【００５５】
また、導入口２４１ｃ，２４１ｄは、光源配置部２６ｃにおいて基幹部２の底部の近傍に配置されている。このため、導入口２４１ｃ，２４１ｄは、光源配置部２６ｃが形成された領域のうちの光源１５ｃから相対的に遠い位置に設けられている。これにより、光源配置部２６ｃにおける光源１５ｃが発光する紫外線の光路長は、基幹部２の開放端側に導入口２４１ｃ，２４１ｄが設けられている場合と比較して長くなる。その結果、殺菌装置１は、光源配置部２６ｃにおいて光源１５ｃが発光する紫外線が液体に照射される量が増加するので、液体の殺菌効率を向上することができる。
【００５６】
このように、殺菌装置１では、光源配置部２６及び反射部２２は、水流発生部７を収容する防水ボックス４が配置されたボックス配置部２１を挟んで複数設けられている。つまり、光源配置部２６及び反射部２２は、水流発生部７を挟んで複数（本実施形態では、３個ずつ）設けられている。殺菌装置１は、光源配置部２６及び反射部２２を複数個所に分割して設けることにより、光源配置部２６の個々の大きさを所定の大きさに制限し、光源配置部２６において所定形状の水流を発生させやすくなっている。また、殺菌装置１は、光源配置部２６を複数個所に設けることにより、基幹部２に占める光源配置部２６全体の領域を可能な限り大きくとるようになっている。これにより、殺菌装置１は、光源１５が発光する紫外線が液体に照射される量が増加するので、液体の殺菌効率を向上することができる。
【００５７】
（水流発生部及び排出部の概略構成）
次に、本実施形態による殺菌装置１に備えられた水流発生部７及び排出部３の概略構成について図１、図２及び図４を参照しつつ図６を用いて説明する。
殺菌装置１は、光源配置部２６と排出部３との間に設けられ、流入部２３から排出部３に向かう水流を発生する水流発生部７を備えている。図６に示すように、水流発生部７は、防水ボックス４に収容されて本体部１１の筐体１１ａに取り付けられる。防水ボックス４は、中空の直方体形状を有している。防水ボックス４は、水流発生部７を収容する収容部４１と、収容部４１の開放端側に設けられた鍔部４２とを有している。鍔部４２には複数の貫通孔４２２が形成されている。防水ボックス４は、貫通孔４２２に挿通されたねじ（不図示）によって筐体１１ａに固定される。貫通孔４２２が形成された領域よりも内側の鍔部４２の領域には、例えばゴムパッキン（不図示）が配置されるようになっている。防水ボックス４が本体部１１に取り付けられると、このゴムパッキンによって本体部１１の内部に流入する液体の収容部４１の内部への浸入が防止される。
【００５８】
水流発生部７は、ファン７１と、ファン７１を回転するモータ（不図示）とを有している。モータは、防水ボックス４の内部に収容されている。ファン７１は、収容部４１の上面部４１１から突出するモータの軸部（不図示）に取り付けられて上面部４１１の上方に配置される。
【００５９】
排出部３は、ファン７１を覆って上面部４１１上に取り付けられている。排出部３は、上面部４１１上に配置される台座部３１と、ファン７１を囲む円筒状部３２と、台座部３１と円筒状部３２の一端部との間に隙間を設けて円筒状部３２の側壁から台座部３１に跨って形成された複数の板状部３３とを有している。複数の板状部３３は、それぞれ三角形状を有している。複数の板状部３３は、所定の間隙を設けて円筒状部３２の周囲にほぼ等間隔に配置されている。隣り合う板状部３３の間に形成される隙間と、円筒状部３２と台座部３１との間に形成される隙間とによって、円筒状部３２の内部空間への液体の流入口３４が形成される。流入口３４は、円筒状部３２の一端部と台座部３１との間の周囲にほぼ等間隔に形成される。
【００６０】
排出部３は、円筒状部３２の他端部に設けられ複数の流入口３４から円筒状部３２の内部空間に流入した液体を流出する流出口３５を有している。流出口３５には、所定形状の枠体が形成されている。枠体は、流入口３４から流入した液体の流出を妨げず、かつ殺菌装置１の使用者などの指が円筒状部３２の内部空間に入らない形状を有している。排出部３は、流出口３５がボックス配置部２１から飛び出し、流入口３４がボックス配置部２１の内部に配置された状態で開口部２１１に設置される。
【００６１】
防水ボックス４には、水流発生部７の他に、車輪１３１とともに可動部１３を構成し車輪１３１を駆動するモータ（不図示）と、殺菌装置１の走行を制御する制御部（不図示）が収容されている。水流発生部７、車輪１３１を駆動するモータ及び制御部に電力を供給する電源ケーブル１７（図１参照）は、収容部４１の上面部４１１に設けられた開口部４３を通して防水ボックス４の内部に引き出される。開口部４３は防水コネクタ（不図示）が取り付けられるようになっている。これにより、ボックス配置部２１の内部に流入する液体が開口部４３を通って防水ボックス４の内部に浸入することが防止される。
【００６２】
（殺菌装置の動作）
次に、本実施形態による殺菌装置１の動作について図１から図６を用いて説明する。
まず、殺菌装置１は、液体が貯留された貯留区域に設置される。次に、電源ケーブル１７によって殺菌装置１の制御部、水流発生部７及び可動部１３に電力が供給される。殺菌装置１は、制御部に組み込まれたプログラムによって貯留区域において自走を開始する。水流発生部７に電力が供給されることによりファン７１が回転を開始する。これにより、ボックス配置部２１の内部は、貯留区域よりも水圧が低くなる。このため、殺菌装置１は、「流入部２３（図１（ｂ）参照）→流通路２４→光源配置部２６→フィルタ部６→ボックス配置部２１の内部→排出部３の流入口３４→ファン７１→排出部３の流出口３５」という流水を本体部１１の内部に発生する。
【００６３】
その結果、殺菌装置１は、貯留区域の床面や壁面から除去部１２によって除去したごみとともに液体を流入部２３から吸い込み、光源配置部２６において光源１５から照射される紫外線で液体を殺菌する。光源配置部２６ａ，２６ｂで殺菌された液体の一部は、光源配置部２６ａ，２６ｂから光源配置部２６ａ及び光源配置部２６ｂの間の領域に溢れる。光源配置部２６ａ，２６ｂで殺菌された液体は、当該領域を介してフィルタ部６ａを通ってボックス配置部２１の内部に流入したり、光源配置部２６ａ，２６ｂから直接フィルタ部６ａを通ってボックス配置部２１の内部に流入したりする。また、光源配置部２６ｃで殺菌された液体の一部は光源配置部２６ｃの両側の領域に溢れる。光源配置部２６ｃで殺菌された液体は、当該領域を介してフィルタ部６ｂを通ってボックス配置部２１の内部に流入したり、光源配置部２６ｃから直接フィルタ部６ｂを通ってボックス配置部２１の内部に流入したりする。
【００６４】
殺菌装置１は、フィルタ部６でごみを液体から分離し、殺菌及びごみが除去された液体をボックス配置部２１の内部及び排出部３を通して貯留区域に排出する。殺菌装置１が貯留区域での自走を継続することにより、貯留区域に貯留された液体が最終的に浄化される。
【００６５】
（殺菌装置の効果）
次に、本実施形態による殺菌装置１の効果について図７を用いて説明する。図７は、殺菌装置１による大腸菌の殺菌性能評価試験の結果を示すグラフである。この殺菌性能評価試験の条件は、以下の（１）から（４）に示すとおりである。
（１）貯留区域：アクリル製水槽（外寸：幅１２０×奥行９０×高さ７５ｃｍ、内寸：幅１１６×奥行８６×７１ｃｍ）
（２）貯留した液体：水道水（５００Ｌ（リットル））
（３）当該水道水の残留塩素濃度：０．０１ｍｇ／Ｌ未満（３％チオ硫酸ナトリウム溶液により中和）
（４）試験菌液：約１０１０ＣＦＵ／ｍＬの試験菌液を３０ｍＬ滴下した（理論値：約１０５〜６ＣＦＵ／ｍＬ）
【００６６】
上記（１）〜（４）までの準備がなされたアクリル製水槽内の液体を撹拌した後、殺菌装置１を当該水槽内に設置して運転を開始し、所定時間ごとに水槽から採取した液体の菌数を測定した結果が図７に示されている。図７中に示すグラフの横軸は、殺菌装置１の運転時間（分）を示し、縦軸は菌数を常用対数（Ｌｏｇ菌数）（ＣＦＵ／ｍＬ）で示している。横軸の「−３０（分）」は、アクリル製水槽内の液体を撹拌した直後の時間であって殺菌装置１の運転開始前３０分であることを示している。
【００６７】
図７に示すように、Ｌｏｇ菌数は、殺菌装置１の運転開始前３０分において５．９０（ＣＦＵ／ｍＬ）であったのが、運転開始時点（０分）において６．００となる。その後、Ｌｏｇ菌数は、殺菌装置１の運転時間、５分、１０分、２０分、４０分、８０分及び１６０分と経過するごとに、５．８９（ＣＦＵ／ｍＬ）、５．７５（ＣＦＵ／ｍＬ）、５．５６（ＣＦＵ／ｍＬ）、４．９６（ＣＦＵ／ｍＬ）、３．４８（ＣＦＵ／ｍＬ）及び１．２６（ＣＦＵ／ｍＬ）と減少する。図７中に示すよう、０分から１６０分までの測定結果の近似曲線は「ｙ＝−０．０３０３ｘ＋６．０６１５」であり、決定係数（Ｒ２）は０．９９７である。当該殺菌性能評価試験の結果では、殺菌装置１は、上記（１）〜（４）までの条件による貯留区域に貯留された液体の菌数を、１分間当たり約７７０００（ＣＦＵ／ｍＬ）減少することができる。
【００６８】
以上説明したように、本実施形態による殺菌装置１は、液体が貯留された貯留区域に設置される本体部１１と、本体部１１の内部に液体を流入する流入部２３と、本体部１１の内部に流入した液体に向かって紫外線を照射する光源１５と、光源１５が配置される光源配置部２６と、光源配置部２６を通過した液体を本体部１１の内部から貯留区域に排出する排出部３とを備えている。
【００６９】
このような構成を備えた殺菌装置１は、貯留区域に貯留されている状態の液体に紫外線を照射するのではなく、本体部１１の内部に取り込んだ液体に紫外線を照射して液体を殺菌することができる。このため、殺菌装置１は、貯留区域に貯留された液体にまんべんなく紫外線を照射することができる。その結果、殺菌装置１は、液体の殺菌効率の向上を図ることができる。
【００７０】
本発明は、上記実施形態に限らず、種々の変形が可能である。
上記実施形態では、反射部２２は、光源１５に対向する位置にも設けられているが、本発明はこれに限られない。反射部２２は、光源１５に対向する位置には設けられていなくてもよい。
また光源１５は、蓋部１１ｂに取り付けられていてもよい。これによりフィルタ部６の取り外しが簡単になり、フィルタ部６の交換を容易に行うことが可能となる。
【００７１】
上記実施形態による殺菌装置１は、光源１５から相対的に離れた位置から光源配置部２６に液体が流入するように構成されているが、本発明はこれに限られない。殺菌装置１は、光源１５が配置されている方であって紫外線が照射される方向に、液体が光源配置部２６に流入するように構成されていてもよい。
【００７２】
上記実施形態は、本発明の技術的思想を具体化するための装置や動作を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００７３】
１  殺菌装置
２  基幹部
３  排出部
４  防水ボックス
５  固定部材
６，６ａ，６ｂ  フィルタ部
７  水流発生部
１１  本体部
１１ａ  筐体
１１ｂ  蓋部
１２  除去部
１３  可動部
１４  把持部
１５，１５ａ，１５ｂ，１５ｃ  光源
１７，１７ｃ  電源ケーブル
１９，１９ａ，１９ｂ，１９ｃ  光源ユニット
２１  ボックス配置部
２２，２２ａ，２２ｂ，２２ｃ  反射部
２３，２３ａ，２３ｂ，２３ｃ  流入部
２４，２４ａ，２４ｂ，２４ｃ，２４ｄ  流通路
２５ａ，２５ｂ，２５ｃ，２５ｄ  障壁
２６，２６ａ，２６ｂ，２６ｃ  光源配置部
２７ａ  第一側壁
２７ｂ  第二側壁
２７ｃ  第三側壁
２７ｄ  第四側壁
３１  台座部
３２  円筒状部
３３  板状部
３４  流入口
３５  流出口
４１  収容部
４２  鍔部
４３１１４，１１５，１１５ａ，１１５ｂ，１１５ｃ，１１６，２１１  開口部
５１  挿入口
５２，５２ａ，５２ｂ  取付部
７１  ファン
１１２  回転機構
１１３  爪部
１１４ａ  突出部
１３１  車輪
１３２  キャタピラ
１５１  発光素子
１５２  金属基板
１５３ａ，１５３ｂ  電極層
１５４ａ，１５４ｂ  半田
１５５ａ  正極側ケーブル
１５５ｂ  負極側ケーブル
１５６  放熱部
１５７  石英ガラス
１９１  支持部材
１９２  防水コネクタ
２４１，２４１ａ，２４１ｂ，２４１ｃ，２４１ｄ  導入口
４１１  上面部
４２２  貫通孔
【図１】
2019013876.tif 000003
【図２】
2019013876.tif 000004
【図３】
2019013876.tif 000005
【図４】
2019013876.tif 000006
【図５】
2019013876.tif 000007
【図６】
2019013876.tif 000008
【図７】
2019013876.tif 000009